(57)【要約】  【課題】点滴潅水において、圧力・通水量の調整を可能にしてムラなく潅水できるとともに、潅水孔が目詰まりしにくい貯水タンクの給水管の分岐管と潅水用点滴チューブの接続構造を提供する。【解決手段】点滴潅水設備の貯水タンク１に接続された分岐管５に、タンク１と落差を持たせて接続される潅水用点滴チューブ２において、潅水用点滴チューブ２の接続部２ａの通水路２ｂに通水性材料６が充填されている潅水用点滴チューブ。【選択図】図１
2005160358.tif 000002
【特許請求の範囲】
【請求項１】
点滴潅水設備の貯水タンクと落差を持たせて給水される潅水用点滴チューブにおいて、
前記分岐管あるいは潅水用点滴チューブどうしを接続する潅水用点滴チューブの接続部の通水路に通水性材料が充填されていることを特徴とする潅水用点滴チューブ。
【発明の詳細な説明】
【技術分野】
【０００１】
本発明は、点滴潅水に使用される、貯水タンクから給水される点滴潅水用チューブに関し、特に貯水タンクから供給される水の圧力を減圧するとともに、ろ過機能を持たせた点滴潅水用チューブに関する。
【背景技術】
【０００２】
施設園芸、果樹園等では、作物にエンジンポンプやモーターにて加圧してチューブやスプリンクラー方式で短時間に多量の水を潅水する方法が取られてきた。
【０００３】
最近、水の有効利用を図るため、雨水のように局所に潅水して浸透させる点滴潅水技術が使用され始めている。点滴潅水は、従来のスプリンクラー等による散水方式に比べて水使用量が大幅に低減されるという利点がある。点滴潅水については、特許文献１、特許文献２などに記載されている。
【０００４】
図２（ａ）は従来の点滴潅水施設の一例を示す概略図である。貯水タンク１は、この貯水タンク１に接続される点滴潅水用チューブ２との間に落差を持たせるために、架台３や数段重ねたブロック上に載置される。点滴潅水用チューブ２は、貯水タンク１に接続された給水管４に間隔をおいて設けられた分岐管５を介してそれぞれ接続される。点滴潅水用チューブ２どうしは、畝の長さに応じて必要な長さの通水路を形成するために接続可能となっている。点滴潅水用チューブ２には供給された水を点滴するための点滴潅水ノズルが間隔をおいて形成されている。
【０００５】
図２（ｂ）は果樹園で樹幹の周囲に点滴潅水する一例を示す図である。本例では分岐管５に接続した滴潅水用チューブ２を樹幹の回りに環状に接続して樹幹の周囲に点滴潅水するものである。
【０００６】
前記の点滴潅水施設において、貯水タンク１の水は、重力により給水管４を通り、給水管４の分岐管５に接続された各点滴潅水用チューブ２に供給される。点滴潅水用チューブ２に供給された水は点滴潅水ノズルから点滴され、点滴された水は土に浸透していく。
【０００７】
さらに、点滴潅水施設のより高度な効率的な利用を図るために、約５０ｃｍ程度の低落差を利用した低落差式潅水施設も施設園芸や露地作物の点滴潅水施設として導入され始めている。
【０００８】
特に低落差の点滴潅水施設は、貯水タンク下部にブロック等を数枚重ねて貯水タンク内の水位と合算して約１ｍ３０ｃｍ程度の高さに設置すると約０．１気圧程度の低圧の水圧で潅水することとなり、低圧のため潅水速度が極端に遅く、従来の潅水方式に比較し、長時間に亘って潅水でき、その結果、土壌の縦・横・下部に水が拡散するので作物の根から一定量の水が吸収され、作物の生育が安定する。また、果樹園では樹幹周囲に局所潅水が可能で少量の水が有効利用できる利点がある。
【特許文献１】特開２００２−３００８１８号公報
【特許文献２】特開２００１−０７８５９３号公報
【発明の開示】
【発明が解決しようとする課題】
【０００９】
低圧で点滴潅水する方式は、上記した利点を有するものであるが、次の問題がある。
【００１０】
ａ．傾斜地の下部や棚下の点滴潅水ノズルからの点滴量は水圧が高くなるために多くなり、低圧部位とで水量差が生じ、潅水ムラが生じやすくなる。
【００１１】
ｂ．棚栽培では点滴潅水用チューブを地上部に直接配管すると大型除草機械等の通行の妨げになるので、樹幹部までポリエチレンパイプの給水管を棚上に配管し、給水管の分岐管に点滴潅水用チューブを接続して配管する方式が考えられるが、棚下だけでも２ｍ程度の落差が生じて時間当り潅水量が多くなりすぎて水の拡散状態が不良になって本方式の長所が損なわれる。
【００１２】
ｃ．通常の点滴潅水施設では、水圧の調整に使用されるバルブは単価が高く、数多く使用する場合不経済で実用的でない。
【００１３】
ｄ．潅水時に肥料を混和する場合、又は鉄分その他のミネラルを含有する水のみでも配管内に介在物が混ざり点滴潅水ノズルに目詰まりを生ずることがある。特にマルチ下に配管して点滴潅水する場合、目詰まりを発見しにくいため、目詰まりした点滴潅水用チューブを使用することは作物の生育を阻害する恐れがあるので使い捨ての潅水資材を利用する場合が多く、資材の再利用が少なく、コスト高となる。
【００１４】
そこで、本発明は、貯水タンクから給水される点滴潅水用チューブにおいて、圧力・通水量の調整を可能にしてムラなく潅水できるとともに、点滴潅水ノズルが目詰まりしにくい点滴潅水用チューブを提供するものである。
【課題を解決するための手段】
【００１５】
本発明は、点滴潅水設備の貯水タンクと落差を持たせて給水される潅水用点滴チューブにおいて、前記分岐管あるいは潅水用点滴チューブどうしを接続する潅水用点滴チューブの接続部の通水路に通水性材料が充填されていることを特徴とする。
【発明の効果】
【００１６】
本発明では、分岐管へ接続する点滴潅水用チューブの接続部の通水路に通水性素材を充填することで次の効果が発揮される。
【００１７】
ａ．接続部において通水性材料の抵抗によって減圧され、許容できる程度に水圧、点滴量の調整ができる。
【００１８】
ｂ．通水性材料は、多孔質で広範囲に水を吸収する性質があり、一部にゴミが付着しても通水可能であるためろ過材として機能するので、点滴潅水用チューブへのゴミの侵入が阻止されて、点滴潅水ノズルが目詰まりしにくくなる。
【００１９】
ｃ．通常の圧力調整用バルブに比べて安価であり、例えば果樹園等で樹木単位に点滴孔を円形状に配置する場合に１００ケ以上使用する必要があるが、配管の接続はチューブや細管に差し込む方式であるため、点滴潅水用チューブの交換が容易となり、またリサイクルも可能である。
【発明を実施するための最良の形態】
【００２０】
図１は本発明の接続構造の一例を示し、（ａ）は供給パイプと点滴潅水用チューブの分解斜視図、（ｂ）は点滴潅水用チューブの接続部を示す（ａ）のＡ−Ａ断面図、（ｃ）は同Ｂ−Ｂ断面図である。
【００２１】
図１（ａ）において、図２に示す従来例と同様に、貯水タンクは、このタンクに給水管４及び分岐管５を介して接続される点滴潅水用チューブ２との間に落差を持たせて重力で通水させるために架台や重ねたブロックの上に載置される。
【００２２】
貯水タンクに接続された給水管４には点滴潅水用チューブ２を接続するための分岐管５が間隔をおいて複数形成されている。各分岐管５には点滴潅水用チューブ２の一端に形成された接続部２ａが接続される。
【００２３】
点滴潅水用チューブ２は、畝の長さなどに応じて、接続部２ａに接続する点滴潅水用チューブ２の端を挿入して点滴潅水用チューブ２どうしを接続して所定の長さにすることができ、また、図２（ｂ）に示すように、樹幹の周囲に点滴潅水するために、点滴潅水用チューブ２どうしを樹幹の回りに環状に接続することも可能である。
【００２４】
図１（ｂ）及び図１（ｃ）において、点滴潅水用チューブ２の一端には、給水管４の分岐管５あるいは点滴潅水用チューブ２と接続するために内部に通水路２ｂを有する接続部２ａが形成されている。通水路２ｂの内径は、分岐管５あるいは点滴潅水用チューブ２の一端を挿入し嵌合して接続できる寸法にする。点滴潅水用チューブ２の接続部２ａは、例えば直径５ｍｍ程度の細い管で形成され、接続部２ａの通水路２ｂには麻・紙製等の紐類やスポンジ状物質等の、水を吸収する通水性材料６が充填される。通水性材料６により水が吸収されて水圧が減圧され、また、ゴミ等の通過が阻止される。
【００２５】
前記構成において、貯水タンクの水は、重力により給水管４を通って分岐管５に接続された各点滴潅水用チューブ２の、通水性材料６が充填された接続部２ａを通って、点滴潅水用チューブ２の点滴潅水ノズルから点滴される。
【００２６】
本発明の点滴潅水用具は、点滴潅水用チューブの分岐管との接続部内に通水性材料が充填されているので、接続部において通水性材料の抵抗によって許容できる程度に水圧が減圧されて、点滴潅水用チューブ内の通水量の調整が可能となり、ムラなく潅水できる。また、一部にゴミが付着しても通水可能でろ過材として機能するので、点滴潅水ノズルが目詰まりしにくくなる。
【産業上の利用可能性】
【００２７】
本発明は、施設園芸、果樹園等の点滴潅水施設の点滴潅水用チューブに利用することができる。
【図面の簡単な説明】
【００２８】
【図１】本発明の接続構造の一例を示し、（ａ）は供給パイプと点滴潅水用チューブの分解斜視図、（ｂ）は点滴潅水用チューブの接続部を示す（ａ）のＡ−Ａ断面図、（ｃ）は同Ｂ−Ｂ断面図である。
【図２】従来の点滴潅水施設の一例を示す概略図である。
【符号の説明】
【００２９】
１：貯水タンク
２：点滴潅水用チューブ
２ａ：接続部
２ｂ：通水路
３：架台
４：給水管
５：分岐管
６：通水性材料
【図１】
2005160358.tif 000003
【図２】
2005160358.tif 000004